(57)【要約】【課題】ジャカード織りのシャツに似た風合いを有するシャツを提案する。【解決手段】前見頃等を構成する生地１０は、綾織の織物素地１３にプリント柄１５が設けられたものである。織物素地１３自体の色は白であり、織物素地１３に白色の顔料で模様がプリントされている。プリント柄１５には、塗りつぶし領域１７と、空間領域１８がある。塗りつぶし領域１７には、一方方向に平行に延びる細線２１の集合たるＡ方向細線群２５と、これに対して交差する方向に平行に延びる細線２２の集合たるＢ方向細線群２６によって構成されている。空間領域１８においては、織物素地１３の織柄が直接表面に現れる。塗りつぶし領域１７においては、織物素地１３の織柄は隠蔽され、プリント柄１５が表面に現れる。【選択図】図４
2014227616.tif 000002
【特許請求の範囲】
【請求項１】
裁断されて作られた複数のパーツが縫製されて成形されたシャツにおいて、各パーツのいずれかを構成する生地は、織物に当該織物と同一色の染料又は顔料で柄がプリントされたプリント生地であることを特徴とするシャツ。
【請求項２】
プリント生地にはプリント柄が設けられた部位と、織物の生地がそのまま露出する部位があることを特徴とする請求項１に記載のシャツ。
【請求項３】
プリント柄は、直線又は点線からなる線で形成されていることを特徴とする請求項１又は２に記載のシャツ。
【請求項４】
プリント柄には、点線で形成された部位があり、当該点線を構成する点は、点線の延び方向に対して交差する方向に延びる短線であり、プリント柄には前記短線の延び方向が異なるものが混在していることを特徴とする請求項１乃至３のいずれかに記載のシャツ。
【請求項５】
一方方向に平行に延びる線が敷き詰められた領域があり、当該領域に隣接して前記線と交差する方向に延びる線が平行に敷き詰められた領域があることを特徴とする請求項１乃至４のいずれかに記載のシャツ。
【請求項６】
プリント柄は、同一形状の領域が複数形成された部位があり、これが巨視的に幾何学模様を構成していることを特徴とする請求項１乃至５のいずれかに記載のシャツ。
【請求項７】
前記領域は、これを区画する線で区切られていることを特徴とする請求項５又は６に記載のシャツ。
【発明の詳細な説明】
【技術分野】
【０００１】
本発明は、ワイシャツやカッタ−シャツ、ドレスシャツ等のシャツに関するものである。
【背景技術】
【０００２】
被服の一つとして、ワイシャツやドレスシャツ等のシャツが広く普及している。例えばワイシャツは、織物を裁断して見頃や袖、襟といったパーツが作られ、このパーツを縫製して作られている。
パーツを構成する織物には各種のものが知られている。例えばシャツに使用される織物の組織として、平織組織、綾織組織、朱子織組織、変化組織、特別組織、ドビー組織、ジャカード組織が知られている。
【先行技術文献】
【特許文献】
【０００３】
【特許文献１】特開２０１２−１４０７３０号公報
【発明の概要】
【発明が解決しようとする課題】
【０００４】
前記した中で、ジャカード組織の織物は、特に高級なシャツに限って使用されている。ここでジャカード組織とは、ジャカード織機で織られた織物であり、ジャカード織りと称される生地である。ジャカード織りの生地は、ジャカード織機を使用して縦糸を一本づつ又は数本づつ開口させて織られている。
シャツを見たとき、その生地がジャカード織りである否かの見分け方は、織柄が有るか否かという点と、その織柄が大きい或いは複雑であるか否かという点である。
即ちシャツを見たとき、その生地に織柄が有り、且つ織柄が大きい場合、或いは織柄が複雑である場合には、ジャカード織りの生地で作られたシャツであると考えてよい。
【０００５】
即ち前記した平織組織は、縦糸と横糸を一本づつ交互に組み合わせた織組織であり、織柄と呼べるものは無い。綾織組織は、斜め方向に織線が現れるが、この織柄は極めて単調である。朱子織については、織柄と呼べるものは無い。
これに対して変化組織、特別組織では、織柄を表出させることができるが、いずれも単調で小さな織柄に過ぎない。
ドビー組織は、ドビー織機で織られた織物であり、織柄を表出させることができるが、これについても単調で小さな織柄に限られる。
【０００６】
これに対してジャカード織機は、縦糸を一本づつ又は数本づつ開口させて織ることができるので、大きな織柄や複雑な織柄を表出することができる。逆に言えば、大きな織柄や複雑な織柄を表出する方法は、ジャカート織機を使用する他に手段が無い。そのため大きな織柄や複雑な織柄が表出されたシャツは、ジャカード織りのシャツであると認識される。
【０００７】
しかしながら、ジャカード織りの生地を使用したシャツは、高価である。即ちジャカード織機は、複雑な構造を有するものであり、装置の単価が高い。またジャカード織機は、平織り織機等に比べて単位時間当たりの織り上がり量が少ない。そのためジャカード織りの生地は、他の生地に比べて高価であり、シャツも高価である。
そのためジャカード織りの生地を使用したシャツは高級であり、当該シャツはステータスシンボルである。
【０００８】
そこで本発明は、上記した状況に鑑み、ジャカード織りのシャツに似た風合いを有するシャツを新たに提案するものである。
【課題を解決するための手段】
【０００９】
上記した課題を解決するための請求項１に記載の発明は、裁断されて作られた複数のパーツが縫製されて成形されたシャツにおいて、各パーツのいずれかを構成する生地は、織物に当該織物と同一色の染料又は顔料で柄がプリントされたプリント生地であることを特徴とするシャツである。
【００１０】
本発明のシャツは、各パーツを構成する生地として、織物に当該織物と同一色の染料又は顔料で柄がプリントされたプリント生地を使用している。この生地は、織物に当該織物と同一色の染料又は顔料で柄がプリントされているから、正面から見ると柄は、はっきりとは見えない。
しかしながら、プリント部分は、光の反射具合が他の部位と微妙に異なり、見る角度によってぼんやりと柄が浮き出る。この浮き出た柄があたかもジャカード織りで表出された織柄に見える。そのため、本発明のシャツは、高級感がある。
【００１１】
請求項２に記載の発明は、プリント生地にはプリント柄が設けられた部位と、織物の生地がそのまま露出する部位があることを特徴とする請求項１に記載のシャツである。
【００１２】
本発明のシャツでは、プリント柄が設けられた部位と、素地の織物がそのまま露出する部位とが混在している。即ちパーツを構成する生地には、織物の素地がそのまま露出する部位がある。また前記した様に、プリント柄は、織物と同一色の染料又は顔料で形成されている。そのため、本発明のシャツでは、プリントされた部位と本来の織物の組織がそのまま露出する部位との境界線が不明確となり、表面に現れる模様がいずれも織柄に見える。
【００１３】
請求項３に記載の発明は、プリント柄は、直線又は点線からなる線で形成されていることを特徴とする請求項１又は２に記載のシャツである。
【００１４】
本発明のシャツでは、プリント柄が、直線又は点線からなる線で形成されている。そのためこの直線や点線が、縦糸や横糸に見え、表面に現れる模様が織柄の様に見える。
【００１５】
請求項４に記載の発明は、プリント柄には、点線で形成された部位があり、当該点線を構成する点は、点線の延び方向に対して交差する方向に延びる短線であり、プリント柄には前記短線の延び方向が異なるものが混在していることを特徴とする請求項１乃至３のいずれかに記載のシャツである。
【００１６】
本発明のシャツでは、プリント柄には、点線で形成された部位があり、点線を構成する点は、点線の延び方向に対して交差する方向に延びる短線である。そのため点線を構成する点が、織り組織の表面側に現れた線に見える。
また本発明のシャツでは、プリント柄に短線の延び方向が異なるものが混在している。そのため織り方に変化が付けられている様に見え、ジャカード織りで表出された織柄の様に見える。
【００１７】
請求項５に記載の発明は、一方方向に平行に延びる線が敷き詰められた領域があり、当該領域に隣接して前記線と交差する方向に延びる線が平行に敷き詰められた領域があることを特徴とする請求項１乃至４のいずれかに記載のシャツである。
【００１８】
本発明のシャツでは、プリント柄に、一方方向に平行に延びる細線が敷き詰められた領域と、これに隣接して前記細線と交差する方向に延びる細線が平行に敷き詰められた領域がある。
一方方向に平行に延びる細線が敷き詰められた領域は、特定の方向から観察したときに浮き立って見える。また見る角度を変えると、隣接する領域が浮き立って見える。この浮き出方があたかもジャカード織りで表出された織柄の様に見える。そのため、本発明のシャツは、高級感がある。
【００１９】
請求項６に記載の発明は、プリント柄は、同一形状の領域が複数形成された部位があり、これが巨視的に幾何学模様を構成していることを特徴とする請求項１乃至５のいずれかに記載のシャツである。
【００２０】
本発明のシャツについても、プリントされた幾何学模様がジャカード織りで表出された織柄の様に見える。
【００２１】
請求項７に記載の発明は、前記領域は、これを区画する線で区切られていることを特徴とする請求項５又は６に記載のシャツである。
【００２２】
本発明のシャツについても、プリントで描かれた線がジャカード織りで表出された織り柄の様に見える。
【発明の効果】
【００２３】
本発明のシャツは、ジャカード織りのシャツに似た風合いを有し、高級感がある。
【図面の簡単な説明】
【００２４】
【図１】本発明の実施形態のシャツの正面図（ａ）および背面図（ｂ）である。
【図２】図１のシャツの生地を巨視的に観察した正面図である。
【図３】図２のシャツの生地に施されたプリント柄のパターン図である。
【図４】図２のシャツの素地とプリント柄とを重ねて描いた斜視図である。
【図５】図１のシャツの生地を微視的に観察した斜視図である。
【図６】本発明の他の実施形態のシャツの生地に施されたプリント柄のパターン図である。
【図７】図６のプリント柄のパターン図の拡大図である。
【図８】本発明のさらに他の実施形態のシャツの生地に施されたプリント柄のパターン図である。
【図９】本発明のさらに他の実施形態のシャツの生地に施されたプリント柄のパターン図である。
【図１０】本発明のさらに他の実施形態のシャツの生地に施されたプリント柄のパターン図である。
【図１１】本発明のさらに他の実施形態のシャツの生地に施されたプリント柄のパターン図である。
【発明を実施するための形態】
【００２５】
以下さらに本発明の実施形態について説明する。
本実施形態のシャツ１は、長袖のドレスシャツであり、前見頃２、後見頃３、肩ヨーク５、襟６、袖７、袖口８及び前立て９によって構成されている。
即ち、所定の生地が裁断されてこれらのパーツが予備成形され、これらが縫製されてシャツ１が作られている。
【００２６】
ここで、前記した各パーツの内、前見頃２、後見頃３、肩ヨーク５及び袖７は、特徴的な生地で作られている。
即ち、前見頃２等を構成する生地１０は、図４の様に、綾織の織物を織物素地１３とするものであり、織物素地１３自体の色は白である。そして織物素地１３に白色の顔料でプリント柄１５がプリントされている。プリントの方法は任意であり、ハンドスクリーン、オートスクリーン、ロール捺染、転写等が採用可能である。
【００２７】
プリント柄１５は疑似的な織柄を表出するパターン図である。本実施形態のシャツ１が採用するプリント柄１５は、図２、図３、図４の通りである。即ちプリント柄１５を巨視的に観察すると、図２の様に小菱形図形１６が隙間無く敷きつめられた幾何学模様を呈している。小菱形図形１６の一辺Ｌの長さは、３ｍｍから１０ｍｍ程度である。なお本実施形態では、小菱形図形１６の一辺Ｌの長さは、５ｍｍである。
【００２８】
またプリント柄１５を微視的に観察すると、図３の様に小菱形図形１６の内部がプリントされた線で埋められた塗りつぶし領域１７と、小菱形図形１６の内部にプリントの顔料が存在しない空間領域１８がある。
即ちプリント柄１５は、前記した様に小菱形図形１６が隙間無く敷きつめられたものであるが、その内、小菱形図形１６ａ，ｂ，ｃ，ｄは、内部が線で埋められてた塗りつぶし領域１７となっている。一方、小菱形図形１６ｅ，ｆ，ｇ，ｈの内部には線は無く、小菱形図形１６ｅ，ｆ，ｇ，ｈは空間領域１８である。
即ち空間領域１８に該当する小菱形図形１６ｅ，ｆ，ｇ，ｈは、単に菱形の枠線２０だけが描かれており、枠線２０で囲まれた領域内にはプリント柄が存在しない。
プリント柄が存在しない空間領域１８においては、織物素地１３の表面がそのまま露出することとなる。
【００２９】
即ちプリントは、織物素地１３に対して散点的に施されており、図３の様に塗りつぶし領域１７と空間領域１８がある。
塗りつぶし領域１７のプリント模様は、図３の様な細線２１，２２の集合である。即ち塗りつぶし領域１７におけるプリントの柄は、一方方向（以下Ａ方向）に平行に延びる細線２１の集合たるＡ方向細線群２５と、これに対して交差する方向（以下Ｂ方向）に平行に延びる細線２２の集合たるＢ方向細線群２６によって構成されている。
各細線２１，２２の太さは、０．２ｍｍから１．２ｍｍ程度である。より望ましくは、各細線２１，２２の太さは、０．３ｍｍから０．６ｍｍ程度である。
またＡ方向細線群２５とＢ方向細線群２６の成す角度は、３０度から９０度が望ましく、本実施形態では、６０度である。
Ａ方向細線群２５及びＢ方向細線群２６を構成する線は、枠線２０のいずれかの辺と平行である。
【００３０】
塗りつぶし領域１７は、前記した様に４個の小菱形図形１６ａ，１６ｂ，１６ｃ，１６ｄによって構成されており、辺を共通する４個の小菱形図形１６ａ，１６ｂ，１６ｃ，１６ｄが一まとまりになって一つの大きな集合型菱形図形２７を構成している。
そして塗りつぶし領域１７を構成する４個の小菱形図形１６ａ，１６ｂ，１６ｃ，１６ｄの内、２個の小菱形図形１６ａ，１６ｃがＡ方向細線群２５であり、残る２個の小菱形図形１６ｂ，１６ｄは、Ｂ方向細線群２６である。
【００３１】
集合型菱形図形２７（４個の小菱形図形１６ａ，１６ｂ，１６ｃ，１６ｄの集合）の中心点２８から４個の小菱形図形１６ａ，１６ｂ，１６ｃ，１６ｄが放射状に配置されていると考えると、中心点２８を対象点とする位置にある小菱形図形１６ａ，１６ｂ，１６ｃ，１６ｄが同一の細線群に属する。また辺を共有して隣接する小菱形図形１６ａ，１６ｂ，１６ｃ，１６ｄは異なる細線群に属する。
本実施形態では、集合型菱形図形２７内に一方方向に平行に延びる線が敷き詰められた領域（Ａ方向細線群２５）があり、この領域に隣接して前記線と交差する方向に延びる線が平行に敷き詰められた領域（Ｂ方向細線群２６）がある。
【００３２】
上記した様に、各パーツを構成する生地１０は、小菱形図形１６の内部にプリントの顔料が存在するものと、プリントの顔料が存在しないものがある。そのため生地１０には、プリント柄１５が設けられた塗りつぶし領域１７と、プリント柄１５が存在しない空間領域１８がある。
そして空間領域１８においては、織物素地１３の織柄が直接表面に現れる。即ち空間領域１８においては、綾織りの織柄が直接表面に現れる。
これに対して塗りつぶし領域１７においては、織物素地１３の織柄は隠蔽され、プリント柄１５が表面に現れる。即ち塗りつぶし領域１７においては、プリントされた疑似的な織り柄が表面に現れる。
【００３３】
本実施形態のシャツ１は、前見頃２等が上記したプリントされた生地１０であるが、下地たる織物素地１３と、プリント柄１５の色が同一色である。そのためプリント柄１５は目立たない。
またプリント柄１５は、枠線２０や、細線２１，２２が共に細く、各線の太さは織物素地１３を構成する糸の太さに近い。
さらにプリントのパターンには、織物素地１３に対して散点的に施されていて塗りつぶし領域１７と空間領域１８があり、空間領域１８においては、織物素地１３の織組織が直接表面に現れている。
そのため生地１０を見たとき、織物素地１３の実際に存在する本物の糸が構成する組織と、プリントによる疑似的な織柄の境界線がはっきりしない。
そのため本実施形態で採用する生地１０は、プリントによる疑似的な織柄が、本物の織柄に見える。
【００３４】
また本実施形態で採用する生地１０は、プリント柄１５自体が目立たない。即ち正面から観察すると、プリント柄１５は、ぼんやりとした輪郭が見えるに過ぎない。
しかしながら、着用者が歩いた場合の様に、見る角度が変わると、小菱形図形１６や、集合型菱形図形２７がちらちらと見える。
また集合型菱形図形２７の内、Ａ方向細線群２５は、Ａ方向に平行に配された細線が敷きつめられた領域であり、特定の角度で見た場合に光が反射する。
同様にＢ方向細線群２６は、Ｂ方向に平行に配された細線が敷きつめられた領域であり、特定の角度で見た場合に光が反射する。そしてＡ方向細線群２５と、Ｂ方向細線群２６は、細線の方向が異なるから、あるときはＡ方向細線群２５が目立ち、またあるときはＢ方向細線群２６が目立つ。そのためシャツ１のプリント模様は、織り柄の如くに見える。特に本実施形態で採用する生地１０は、Ａ方向細線群２５とＢ方向細線群２６が枠線２０で区画され、両者が明確に区切られているから、織り柄の雰囲気をかもしだす。
また当該織り柄は、ある程度の大きさがある。そのためシャツ１の風合いは、ジャカード織りのシャツに似る。そのため本実施形態のシャツ１は、高級感がある。
【００３５】
次に本発明の他の実施形態について説明する。
第２実施形態のシャツ３０は、プリント柄３１だけが異なり、他の構成は先の実施形態は同一である。そのためシャツ３０の図形等は、先の実施形態を準用する。
第２実施形態のシャツ３０に施されたプリント柄３１は、図６、図７の様に４本の細い実線３２ａ，ｂ，ｃ，ｄによって構成された実線群３５と、４本の細い実線３３ａ，ｂ，ｃ，ｄによって構成された実線群３６と、３本の点線３７ａ，ｂ，ｃ，によって構成される点線群３８と、３本の点線４０ａ，ｂ，ｃによって構成される点線群４１とによって構成された繰り返しパターンである。
【００３６】
３本の点線４０ａ，ｂ，ｃを構成する点４５は、実際には図７の様に短線であり、この短線は、当該点線４０ａ，ｂ，ｃの延び方向に対して交差する方向に延びている。
即ち、機械製図で規定される点線（破線）は、直線に等間隔に欠落部が設けられた線であり、各点は、点線の延び方向に沿った短線である。これに対して本実施形態で採用する点線４０ａ，ｂ，ｃは、短線によって点４５が構成されているものではあるが、短線の方向は、点線の延び方向とは一致せず、点線４０ａ，ｂ，ｃの延び方向に対して斜め方向に延びている。
【００３７】
また３本の点線４０ａ，ｂ，ｃを構成する点４５の位置は、横方向に揃っている。即ち３本の点線４０ａ，ｂ，ｃは、図６、図７に示すように傾斜した方向に延びているが、点４５の位置は、横方向に揃っている。
そのため点線４０ａ，ｂ，ｃは、織られた布の表面側に現れた糸に見える。
【００３８】
本実施形態では、実線群３５を構成する各実線３２ａ，ｂ，ｃ，ｄは、一方方向に平行に延びている。また実線群３６を構成する各実線３３ａ，ｂ，ｃ，ｄは、他の方向に平行に延びている。そのため実線群３５と実線群３６は交差する。
実線群３５同士は平行である。また実線群３６同士も平行である。しかしながら、実線群３５同士の間隔及び実線群３６同士の間隔は、共に一定ではなく、間隔が広い箇所と間隔が狭い箇所とが交互に現れる。
【００３９】
そして間隔が広い箇所に、前記した点線群３８，４１が配されている。点線群３８は、実線群３５と平行であり、点線群４１は、実線群３６と平行である。従って点線群３８と、点線群４１は、交差する。
【００４０】
本実施形態の生地についても、プリント柄が設けられた部位と、織物の生地がそのまま露出する部位があり、織物素地１３の本物の糸が構成する織柄と、プリントによる疑似的な織柄の境界線がはっきりしない。
そのため本実施形態で採用する生地は、プリントによる疑似的な織柄が、本物の織柄に見える。そのためシャツ３０の風合いは、ジャカード織りのシャツに似る。そのため本実施形態のシャツ３０は、高級感がある。
【００４１】
以上、プリント柄を２例紹介したが、プリント柄のパターンは任意であり、先の実施形態に限定されるものではない。
例えば図８に示す様な菱形模様５３，５５，５６，５７と点線５１によって構成されたパターンであってもよい。図８に示すプリント柄５０で採用される点線５１は、点５２が、点線５１に沿って並べられたものである。そして点５２は、実際には短線であり、点線５１の方向とは異なる方向に延びている。即ちこの短線は、当該点線５１の延び方向に対して交差する方向に延びる。
【００４２】
また菱形模様５３，５５は、平行に延びる点線５８, ５９が敷き詰められた領域であって塗りつぶし領域である。これに対して菱形模様５６，５７は、枠線６０，６１だけで構成されており、空間領域である。
菱形模様５３，５５に設けられた点線５８, ５９は、菱形の辺に対して平行に延びている。これに対して点線５８, ５９を構成する点は、短線であり、点線５８, ５９の方向とは異なる方向に延びている。
枠線６０，６１についても同様であり、枠線６０，６１を構成する点は、短線であり、枠線６０，６１の方向とは異なる方向に延びている。
【００４３】
図９に示すプリント柄６２についても、菱形模様６３，６５，６６，６７と点線６８，７０によって構成されている。
プリント柄６２についても、塗りつぶし領域と、空間領域がある。また点線６８，７０を構成する点は、短線であり、当該短線は、点線６８，７０の方向とは異なる方向に延びている。
【００４４】
図１０に示すプリント柄７２は、線が分散的に配されたデザインであり、塗りつぶし領域はなく、空間領域が広い。
【００４５】
図１１に示すプリント柄７５は、より意匠化したデザインであり、塗りつぶし領域７７が花模様となっている。
【００４６】
以上説明した実施形態では、生地１０の織物自体の色が白であり、織物に白色の顔料で模様がプリントされたものである。この様に織物の地色と顔料の色が共に白であると、プリントの柄が目立たち過ぎず、ジャカード織りの風合いをかもし出すのに好適である。本発明は、地色とプリントの顔料又は染料の色が同一でありさえすれば、地色等は、どの様な色であってもよいが、淡い色であることが望ましい。即ち白を基調とし、僅かに青色や黄色等の色彩が混じったものであることが推奨される。
【符号の説明】
【００４７】
１，３０  シャツ
１０  生地
１３  織物素地
１５，３１，５０, ６２, ７２，７５  プリント柄
１６  小菱形図形
１７  塗りつぶし領域
１８  空間領域
２０  枠線
２１，２２  細線
２５  Ａ方向細線群
２６  Ｂ方向細線群
２７  集合型菱形図形
３２，３３  実線
３５，３６  実線群
３８，４１  点線群
４５  点
５１  点線
５３，５５，５６，５７  菱形模様
５８, ５９  点線
６０，６１  枠線
６３, ６５, ６６, ６７  菱形模様
６８，７０  点線
７７  塗りつぶし領域
【図１】
2014227616.tif 000003
【図２】
2014227616.tif 000004
【図３】
2014227616.tif 000005
【図４】
2014227616.tif 000006
【図５】
2014227616.tif 000007
【図６】
2014227616.tif 000008
【図７】
2014227616.tif 000009
【図８】
2014227616.tif 000010
【図９】
2014227616.tif 000011
【図１０】
2014227616.tif 000012
【図１１】
2014227616.tif 000013